(57)【要約】  本発明は、他人の援助なしに使用することができる自己管理式の病床用便器に関する。一実施形態において、自己管理式の病床用便器は、排泄物用貯蔵室と、一または複数の取っ手と、を含む。貯蔵室は、前記ユーザの肛門の上方に延びかつ前記ユーザの仙骨の下方に延びる開口部を含む。取っ手は、ユーザによって把持されるように構成され、更に病床用便器に対して複数の向きに調整可能に構成することができ、これにより前記病床用便器を複数のユーザ腕長に適応可能とする。
2014512233.tif 000002
【特許請求の範囲】
【請求項１】
ユーザにとって便利な自己管理式の病床用便器であって、
ユーザの排泄物を収容するように構成された貯蔵室と、
前記ユーザによって把持されるように構成された少なくとも一つの取っ手と、
を備える、病床用便器。
【請求項２】
前記貯蔵室は、前記ユーザの肛門の上方に延びるように構成され更に前記ユーザの仙骨の下方に延びるように構成された開口部を含む、請求項１に記載の自己管理式の病床用便器。
【請求項３】
前記少なくとも一つの取っ手は取り外し可能である、請求項１に記載の自己管理式の病床用便器。
【請求項４】
前記少なくとも一つの取っ手は、前記病床用便器の一方の側部から突出する第１の取っ手と、前記病床用便器の他方の側部から突出する第２の取っ手と、含む、請求項１に記載の自己管理式の病床用便器。
【請求項５】
前記少なくとも一つの取っ手は前記病床用便器から外方に突出し、前記少なくとも一つの取っ手の遠位端が前記病床用便器に近接しないように構成された、請求項１に記載の自己管理式の病床用便器。
【請求項６】
前記少なくとも一つの取っ手は前記病床用便器に対して複数の向きに調整可能に構成され、これにより前記病床用便器を複数のユーザ腕長対ユーザ胴長の比率に適応可能とする、請求項１に記載の自己管理式の病床用便器。
【請求項７】
前記少なくとも一つの取っ手は、前記ユーザが実質的に前記ユーザの頭に向かう方向に前記少なくとも一つの取っ手を引っ張ることによって前記病床用便器と前記ユーザの臀部との間の圧力を増加することができるように構成された請求項１に記載の自己管理式の病床用便器。
【請求項８】
前記少なくとも一つの取っ手は、前記病床用便器の中央から突出し、実質的に前記ユーザの頭に向かう方向に延びる、請求項１に記載の自己管理式の病床用便器。
【請求項９】
前記ユーザが排泄した尿を前記貯蔵室に導くように構成された排尿用延長部を更に備える、請求項１に記載の自己管理式の病床用便器。
【請求項１０】
前記病床用便器の水平配向を測定するように構成された傾きセンサを更に備える、請求項１に記載の自己管理式の病床用便器。
【請求項１１】
前記ユーザが前記病床用便器から脱係合状態となったときに閉塞するように構成された自動閉塞式開口部を備え、これにより前記貯蔵室から排泄物がこぼれるのを実質的に防ぐ、請求項１に記載の自己管理式の病床用便器。
【請求項１２】
前記貯蔵室の前記自動閉塞式開口部を開位置に保つように構成されたラッチを更に備え、前記自動閉塞式開口部がバネ仕掛けであり、更に前記ラッチが前記ユーザが前記病床用便器と係合するときに解放されるように構成され、これにより前記ユーザが前記病床用便器から脱係合状態となったときに前記自動閉塞式開口部を閉塞することができるようにする、請求項１１に記載の自己管理式の病床用便器。
【請求項１３】
排泄物用使い捨て袋を更に備える、請求項１に記載の自己管理式の病床用便器。
【請求項１４】
前記排泄物用使い捨て袋は、前記貯蔵室の開口部が前記ユーザの臀部と実質的に接触している間に実質的に開口状態から実質的に密閉状態に遷移するように構成された、請求項１３に記載の自己管理式の病床用便器。
【請求項１５】
前記排泄物用使い捨て袋の密閉を容易にするように構成された密閉作動機構を更に備える、請求項１３に記載の自己管理式の病床用便器。
【請求項１６】
排泄物用貯蔵室と、ユーザによって把持されるように構成された少なくとも一つの長形の取っ手と、を有する自己管理式の病床用便器に関連する便利な排泄物用使い捨て袋であって、
実質的に前記自己管理式の病床用便器の貯蔵室の内部に設置されるように構成された袋本体であって、前記貯蔵室がユーザの排泄物を収容するように構成された、袋本体と、
袋開口部であって、前記ユーザの肛門の上部に延びるように構成されかつ前記ユーザの仙骨の下部に延びるように構成された前記病床用便器の対応する開口部と合致するように構成された袋開口部と、
を備える、排泄物用使い捨て袋。
【請求項１７】
前記開口部の周りに配置された引張部材を含む閉塞可能な開口部を更に備える、請求項１６に記載の前記排泄物用使い捨て袋。
【請求項１８】
ユーザがうつ伏せの状態のままで排泄物を収集する、自己管理式の病床用便器に関連する便利な方法であって、
自己管理式の病床用便器の少なくとも一つの長形の取っ手をユーザの手を用いて把持し、前記病床用便器の開口部を前記ユーザの肛門の方に向けることと、
前記病床用便器内に排便することと、
前記自己管理式の病床用便器の少なくとも一つの長形の取っ手を前記ユーザの手を用いて把持し、前記ユーザから前記病床用便器を脱係合状態にすることと、
を備える、方法。
【請求項１９】
前記ユーザから前記病床用便器を脱係合状態とする前またはこれと同時に、排泄した排泄物を有する使い捨て袋を閉塞することを更に含む、請求項１８に記載の方法。
【請求項２０】
前記ユーザが、前記開口部と前記ユーザの臀部との間の圧力を上げるように排便中に少なくとも一つの長形の取っ手を引っ張ることを更に含む、請求項１８に記載の方法。
【発明の詳細な説明】
【技術分野】
【０００１】
本発明は、病床用便器に関する。より詳細には、本発明は他人の援助なしに使用することができる病床用便器に関する。
【０００２】
病床用便器は長年、様々な形態において使用されてきた。それらは寝たきりの人用の排泄物の収集および廃棄を容易にするものである。従来、その処理において、病床用便器を配置し、そして除去するために援助を必要としていた。排泄物の除去は幼児を除く全ての者にとってプライベートな行為であるため、この基本的な活動を行うために援助を必要とすることは、成人にとって恥ずかしいものである。更に重要なことには、病気および／または虚弱が既に精神的なダメージを与えている場合に多くの人は制御および尊厳の失墜を感じる。更に、この基本的な体の活動を行うために援助を必要とすることは、１）家族の睡眠を犠牲にさせるか、２）高額な時間外の専門家の援助を得るために経済的負担を強いる。既存の病床用便器の問題の一つは、ユーザが排泄に時間が掛かることが多く、この便器が長時間適切な位置に維持されることを必要とすることであり、これは快適ではなく、医学的合併症を生じうる。更に、この処理は匂いを出すことが知られている。更に、人によっては横になったまま排泄物を出すことが困難であり、それは不慣れな体勢であるからである。更に、病床用便器を移動することも問題となり得、なぜならこぼす（漏れる）危険性があるからである。
【０００３】
従って、動きが制限されているか動くことのできない人が経済的および個人的理由に関する援助なしに排泄物を排出することができる能力を向上させることが望ましい。病床用便器が長時間患者の下に置かれることを必要としない手段を提供することが望ましい。匂いがベッド／就寝スペースに入ることを防ぐことが好ましい。人が横になったまま排泄物を出すことを容易にすることが望ましい。特に病床用便器を操作する人が援助なしにこぼす危険性を減少させることが望ましい。最後に、廉価かつコンパクトな装置でこれらの利点を提供することが望ましい。
【発明の概要】
【発明が解決しようとする課題】
【０００４】
上記の事項を達成するために、本発明により他人の援助なしに使用することができる自己管理式の病床用便器が提供される。
【課題を解決するための手段】
【０００５】
一実施形態において、自己管理式の病床用便器は貯蔵室および少なくとも一つの取っ手を含む。この貯蔵室は、ユーザの排泄物を収容するように構成される。この貯蔵室は前記ユーザの肛門の上方に延びるように構成され更に前記ユーザの仙骨の下方に延びるように構成された開口部を含む。
【０００６】
少なくとも一つの取っ手はユーザにより把持されるように構成され、更に病床用便器に対して複数の向きに調整可能に構成することができ、これにより前記病床用便器を複数のユーザ腕長に適応可能とする。少なくとも一つの取っ手は、前記ユーザが実質的に前記ユーザの頭に向かう方向に前記少なくとも一つの取っ手を引っ張ることによって前記病床用便器と前記ユーザの臀部との間の圧力を増加することができるように構成される。
【０００７】
いくつかの実施形態において、この病床用便器はユーザが排泄した尿を前記貯蔵室に導くように構成された排尿用延長部を更に備える。この病床用便器は、前記病床用便器の水平配向を測定するように構成された傾きセンサを更に備える。
【０００８】
この病床用便器はユーザが病床用便器から脱係合状態となったときに閉塞するように構成されたバネ仕掛けの自動閉塞式開口部を含むことができ、これにより実質的に貯蔵室から排泄物がこぼれるのを防ぐ。この病床用便器は貯蔵室の自動閉塞式開口部を開位置に保つように構成されたラッチも含むことができ、ここでラッチは前記ユーザが前記病床用便器と係合するときに解放されるように構成され、これにより前記ユーザが前記病床用便器から脱係合状態となったときに前記自動閉塞式開口部を閉塞することができるようにする。
【０００９】
いくつかの実施形態において、排泄物用使い捨て袋が使用される。この袋開口部は貯蔵室開口部の周りに配置され、前記貯蔵室の開口部が前記ユーザの臀部と実質的に接触している間に実質的に開口状態から実質的に密閉状態に遷移するように構成され得る。いくつかの実施形態において、糸またはゴム等の引張部材が、袋を貯蔵室開口部に更に拘束するためおよび／または袋の閉塞に作用するように、袋開口部の周囲に配置されている。
【００１０】
上記の本発明の様々な特徴は単独でも組み合わせても実施され得ることに留意されたい。本発明のこれらの特徴およびその他の特徴は、添付の図と併せて本発明の詳細な説明においてより詳細に記載される。
【００１１】
本発明をより明確に理解するために、いくつかの実施形態が例として添付の図面を参照して記載される。
【図面の簡単な説明】
【００１２】
【図１】図１は、側部の取っ手を備える自己管理式の病床用便器の斜視図を示す。
【００１３】
【図２】図２は、再構成可能な側部の取っ手を備える自己管理式の病床用便器の斜視図を示す。
【００１４】
【図３】図３は、使い捨て袋を示す。
【００１５】
【図４】図４は、開位置にある袋密閉機構を備える病床用便器の平面図を示す。
【００１６】
【図５】図５は、閉位置にある袋密閉機構を備える病床用便器の平面図を示す。
【００１７】
【図６】図６は、２つの側部の取っ手を備える自己管理式の病床用便器を使用するユーザの平面図を示す。
【００１８】
【図７】図７は、２つの側部の取っ手を備える自己管理式の病床用便器を使用するユーザの側面図を示す。
【００１９】
【図８】図８は、中央の取っ手を備える自己管理式の病床用便器の側面図を示す。
【００２０】
【図９】図９は、中央の取っ手および尿収集構成を備える自己管理式の病床用便器の側面図を示す。
【００２１】
【図１０】図１０は、中央の取っ手を備える自己管理式の病床用便器を使用するユーザの平面図を示す。
【００２２】
【図１１】図１１は、中央の取っ手を備える自己管理式の病床用便器を使用するユーザの側面図を示す。
【００２３】
【図１２】図１２は、自己管理式の病床用便器を使用するユーザのフローチャートを示す。
【００２４】
【図１３】図１３は、使用前の２部構成の実施形態を示す。
【００２５】
【図１４】図１４は、使用後の２部構成の実施形態を示す。
【発明を実施するための形態】
【００２６】
個々の図面において同様の符号は同様の要素を示す。
【００２７】
本発明を、添付の図面に示されたいくつかの実施形態を参照して詳細に説明する。以下の説明において、本発明の実施形態の完全な理解のために多くの具体的詳細を記載する。しかしながら、当業者にとってはそれらの具体的詳細のいくらかまたは全てがなくとも実施形態を実施することができることは明らかであろう。他の例では、本発明を不必要に不明瞭にしないように周知の工程ステップおよび／または構造体は説明していない。実施形態の特徴および利点は図面および以下の説明を参照してよりよく理解され得る。
【００２８】
本発明において、図１は、病床用便器１０が、水平に配置された主軸を備える貯蔵室１２と、２つの部分を含む開口部１４とを含む、本発明の実施形態を示す。説明のために、これらの２つの部分は、垂直開口部分１６および水平開口部分１８と呼ばれ得る。垂直開口部分１６は主に垂直に向く開口部１４の一部である。垂直開口部分１６は人体の臀部におおむね輪郭を合わせたものであり、ユーザが仰向けで横たわり、肛門の方向が概して水平である場合に、肛門の両側部およびその上方に延びるような寸法に作られた、貯蔵室１２への入り口を提供するものである。水平開口部分１８は、概して水平に向く開口部１４の部分である。これはユーザの仙骨の下方に延びる。この実施形態において、垂直開口部分１６および水平開口部分１８は、これらが合流する所（開口部１４の中央近く）で最も幅広く、略三角形にテーパーしていくものであり、垂直開口部分１６は肛門の上方に配置される領域で最も幅が狭く、水平開口部分１８は仙骨の下方に置かれる領域で最も幅が狭い。垂直開口部分１６のテーパーによってユーザの脚を貯蔵室１２の両側に快適に置くことができる。水平開口部分１８のテーパーにより本装置の大きさを最小限にする（しかしながら、別の実施形態ではテーパーを有する必要はない）。貯蔵室１２の収集領域２０は、最も低い領域であり、ここでは本装置は水平に向いており、従って排泄物が最も集められやすい場所である。縁２４は、垂直開口部分１６および水平開口部分１８を含む開口部１４を一周する。使用中にユーザの仙骨に掛けられる圧力を下げるために縁２４が水平開口部分１８において幅広であることが好ましい。図６および７に示すように、取っ手２６は貯蔵室１２の側部に沿って配置されており、排泄中に各取っ手がユーザの各手によって把持され得る。脚に向かう被圧面２７は取っ手２６に一体化されて表されている。ユーザは重力に対して病床用便器１０の角度を変えることができ、および／または収集領域２０を下方に向けることができ、これにより排泄物の収集のために指定された領域（例えば収集領域２０）に向かって排泄物が流れることを確実にする。仰向けに寝た状態でユーザが病床用便器１０が正しい向きを向いているかを特定することは困難となり得るため、重力に対して病床用便器１０の角度を測定するために傾きセンサ２９がいくつかの実施形態において使用される。傾きセンサ２９は電子センサ（例えば磁石式トランジスタまたは加速度計）または機械的手段（泡もしくはおもりなど）によって実施され得る。同様にこれらの実施形態は、角度フィードバック手段を含み得、例えば、病床用便器１０が重力に対して正しく向けられると信号を発する音声トーンや、ユーザに向く可視的表示器（例えばダイヤル）（病床用便器１０が間違った方向に向けられた場合に第１の色を表示し、病床用便器１０が重力に対して正しい方向に向けられた場合に第２の色を表示するもの）である。
【００２９】
図２は、垂直開口部分１６の頂部に配置される留め部（キャッチ）２２を含む実施形態を示す。留め部２２は、切り欠きとして描かれているが、ペグやフックであるか、あるいはひも等の引張部材の向きを変えることができる任意の類似する構成でよい。図２は、取っ手２６が取り外し可能であり、複数の向きに再度取り付け可能であり、これにより、把持領域２８の向きを変えることができる実施形態も示す。この変更により、エルゴノミクス（人間工学的設計）が胴長対腕長の異なる比率の人々のために最適化されることを可能にする。この図は開口部１４に偏向された把持領域２８を示し、比較的短い腕の人々のために適切な構成である。
【００３０】
図３は、使い捨て袋３０を示す。袋３０は、縁２４に相関する寸法に作られた開口端３２を含む。使用中、袋３０は貯蔵室１２内部に置かれ、開口端３２は開口部１４の周囲に一時的に配置される。袋の他の寸法は貯蔵室１２内にフィットするように設計される。袋３０はポリエチレン等の任意の薄い材料から作ることができる。これは不透明であることが好ましい。一実施形態において、袋３０は引きひも３４を含み、この引きひも３４の一部は、例えば前記薄い材料の折り返し部３３によって開口端３２に近接する領域に拘束されており、この折り返し部３３は袋に接合することができ、引きひも３４を拘束するために経路を形成する。一実施形態において、この材料は生物分解性であり、例えば前記薄い材料はコート紙であり、引きひも３４は木綿である。
【００３１】
図４は、貯蔵室１２内に配置された袋３０を示しており（点線）、その開口端３２は開口部１４に拘束されている。この実施形態において、引きひも３４は留め部２２によって拘束されており、摺動式留め部３６に一時的に取り付けられており、そしてこの摺動式留め部３６は摺動可能部材３８に永久的に取り付けられている。この方法は便利であり、なぜなら袋３０を設置し、引きひも３０の一部を留め部２２内に摺動させ、そして引きひも３４の端部を留め部３６に取り付ける、ということが容易なことであるからである。別の実施形態において、引きひも３４の一端がラチェット機構によって保持されており、これにより一旦、引きひも３４が袋３０を閉じるまで十分引っ張られると、閉じた状態を保持する。
【００３２】
図５は、取っ手２６に沿って摺動可能部材３８を摺動させる効果を示す。引きひも３４がきつく引っ張られ、これにより開口端３２を折りたたみ、袋３０を実質的に密閉する（点線で示される）。留め部２２が開口部１４の上方に位置するため、袋３０が密閉されている間、排泄物が漏れることはない。摺動可能部材３８の移動距離は開口部１４の円周におおよそ相関する。この動作は図６および７に示すようにユーザが横たわったまま排泄後すぐになされ得る。（排泄物が堆積された後に）病床用便器１０が移動される前に袋３０が密閉されるため、こぼす危険性が減少する。更に、この装置が臀部に接触している間に袋が密封されるため、匂いの放出が非常に少なくなる。
【００３３】
図６は、病床用便器１０を使用中のユーザを上部から見た図である。取っ手２６を上方に（ユーザ自身の頭に向かって）引っ張ることによって、ユーザは容易に開口部１４とユーザ自身の臀部との間に圧力を掛けることができる。これは次の利点を有し得る：第一に、臀部への圧力が通常の着座した姿勢を擬態し、快適感および親しみやすさを与え、ユーザがうつ伏せ（腹臥位）の状態で排泄物を排泄することを容易にする。第二に、開口部１４と臀部との間の圧力により密閉状態を作り、ユーザが任意の時に圧力の量を制御することができ、処理を助けるために精神的に必要とされるときか、音および匂いを減らすか無くすために物理的に必要とされるときにのみ、圧力の強さを大きくする。更に、処理において（特に排泄物を排泄するときに）ユーザが積極的に関わることを可能にすることは、この非常にプライペートな事に対して強い自己管理の感を与える。この実施形態において、袋３０はラチェット機構３３を使用して密閉される。袋３０を配置した後、引きひも３４がラチェット機構３３内に配置され、たるみが除去され、引きひも３４の残りは、取っ手２６の端部を超えて置かれ、これはユーザがうつ伏せのまま容易にこれを見て掴むことができる場所である。ラチェット機構３３は枢軸上で回転するバネ仕掛けのアームを含み、これにより引きひも３４が袋３０から容易に摺動して引き出されるようになされるが、袋３０に向かって移動しないように高度に拘束されるようになされる。排便後、ユーザは開口端３２が（図５に示すように）折りたたまれるまで引きひも３４を引っ張る。ラチェット機構３３は引きひも３４への張力を保持し、これにより袋３０の密閉を保持する。そしてユーザはこぼす心配なしに病床用便器１０を移動することができる。
【００３４】
図７は、病床用便器１０を使用中のユーザを横から見た図である。肛門５は垂直開口部分１６のほぼ中央に置かれる。
【００３５】
図８は、図１において貯蔵室１２の側部に示す２つの取っ手によって与えられる主な機能が代替的に垂直開口部分１６の上方領域の近く、開口部１４の遠位側にて貯蔵室１２にて取り付けられた単一の取っ手２６によって提供される、病床用便器１０を示す。この単一の取っ手２６は中央の取っ手４０とも呼ばれる。取っ手２６は、「長形」、「突出した」、または「スティック状」とも記載される。取っ手２６は、排泄中にユーザにが掴むことができる寸法とするべきであり、図６に記載のように圧力を加えることができるように方向づけられている。この実施形態において、中央の取っ手４０を使用してユーザはユーザ自身の臀部にて病床用便器１０を図１０および１１に示す位置に位置決めする。ここで脚に向けられた被圧面２７は貯蔵室１２からの水平方向の突出部として構成される。
【００３６】
図９は、垂直開口部分１６の頂部から上方かつ前方に向かって突出する、放尿用延長部４２を含む実施形態を示しており、これによりユーザの生殖器部の少なくとも幾らかを覆う。従って生殖器から放出された液体は、貯蔵室１２および／または袋３０内に導かれる。この実施形態において、ユーザは図１０および１１に示すように病床用便器１０を中央の取っ手４０で向きを決める。中央の取っ手４０および放尿用延長部４２は一体化されてもよい。
【００３７】
図１０は、中央の取っ手４０を備える自己管理式の病床用便器を使用するユーザの平面図を示す。
【００３８】
図１１は、中央の取っ手４０を備える自己管理式の病床用便器を使用するユーザの側面図を示す。ユーザの脚を被圧面２７に対してユーザの脚を下方に押圧することによって、ユーザは病床用便器１０を水平開口部分１８を中心に回転させ、これにより貯蔵室１２の最も遠い部分を下方に再配置させ、水平開口部分１８よりも収集領域２０を下げる。
【００３９】
図１２は、自己管理式の病床用便器１０を使用するユーザのフローチャートを示す。ステップ５０において、ユーザは横たわった状態で排泄に備えてユーザの臀部を露出させる。ステップ５２において、ユーザは使い捨て袋３０を病床用便器１０内に配置する。ステップ５４において、ユーザは取っ手２６または４０によって本装置を把持し、開口部１４がユーザの肛門の周りに配置されて低い開口部分１８がユーザの仙骨の下に位置するように病床用便器１０の向きを決める。垂直開口部分１６の最も高い部分は肛門の上方となる。典型的には、ユーザは片方の脚を上げ、本装置を水平に摺動させることによって１つまたは２つの水平の取っ手を備える実施形態を位置決めする。中央の取っ手４０を備える実施形態は、上部から位置決めされてユーザの脚間で本装置を下げる。時々この処理はユーザが排泄する前に繰り返され得、これにより本発明の利点の一つを提供し、なぜなら、この病床用便器は長時間所定の位置に保持する必要はないからである。ユーザが低い開口部分１８に体重をかけると、病床用便器１０の反対側の端部が持ち上がり得、重力に対して本装置を回転させる。いくつかの実施形態において、角度センサ２９が重力に対して病床用便器１０の方向（よって収集領域２０が正しい方向に向けられたか（特に、収集領域２０が開口部１４の水平開口部分１８よりも低くなるべきである））を測定するために使用される。同様に角度指示手段３１は重力に対する病床用便器１０の方向についての情報をユーザに与える。病床用便器１０の角度をユーザに知らせるためのフィードバック手段があるか無いかに関わらず、病床用便器１０の角度は、ユーザが自身の脚を下げ、これにより被圧面２７を押圧することによって修正することができる。ステップ５６において、ユーザは、縁２４によって開いた状態を保持される袋３０内に排泄する。処理中のこの時点で、ユーザは、処理全体を通して任意の時に所望の小さいまたは大きい圧力を加えるためにユーザの頭に向かって取っ手２６を上方に引っ張ることができ、これにより図６に記載の利益を受ける。ステップ５８において、病床用便器１０がユーザの臀部との接触状態を維持したままユーザは袋３０を密閉し、これにより匂いが漏れるのを防ぐ。一実施形態において、これは使い捨て袋３０内に一体化された引きひも３４により達成される。係る一の方法は図４および５に記載される（引きひも３４を引っ張るために摺動可能部材３８を摺動する）。別の実施形態は、引きひも３４を把持するように設計されたラチェット機構３３を使用する。しかしながら、この機能を実施する他の方法があり、これは、例えば機械的閉塞手段を縁２４の領域内に構築するものである。好ましくは、ユーザは、排泄の後および病床用便器１０を動かす前にユーザ自身または病床用便器１０を動かす必要なく密閉機構を容易に駆動することができる。ステップ６０において、ユーザはステップ５４の処理を逆に行うことによって病床用便器を除去する。除去処理中にこぼす危険性は大きく減少し、なぜなら袋はステップ５８において密閉されているからである。そしてユーザは必要であれば自身を清浄することができる。袋３０が使用されなかった場合は、病床用便器１０が清浄される。袋３０が使用された場合は、排泄物と共に始末され、病床用便器１０は清浄されることなく再使用することができる。
【００４０】
図１３は、水平開口部分１８が垂直開口部分１６に対して回転し、関連する支持構造体１９がこれに取り付けられるように構成される実施形態を示す。縁２４はシリコン等のエラストマーから成形され（デュロメーター、ショアＡスケールで約３０〜６０）、これによりクッション性のある接触面を提供することによってユーザに優れた快適性を提供する。屈曲部２３は縁２４の一部であり、その中央近くに位置する。屈曲部２３はヒンジとして動作することで、水平開口部分１８（および支持構造体１９）が図示された向きになるまで垂直開口部分１６に対して上方に回転することができる。縁２４は図に示した形状に製造され、これによりこの向きを病床用便器１０の低エネルギー状態にする。一の実施形態において、バネ４３（バネ鋼等の金属から作られる）は同様に同じ形状に作られ、縁２４の下に配置され、図示するように水平開口部分１８を上方に向けるために付加的な曲げ力を提供する。従って水平開口部分１８はバネ仕掛けであり、ラッチ４４の解放により自動的に上方に回転する。袋３０は病床用便器１０内にあり（点線で示される）、開口端３２が折り返し部３３によりその外周に沿って縁２４に保持される。この実施形態において、袋３０は引きひも３４を必要としない。
【００４１】
図１４は、使用準備ができた病床用便器１０を示す。水平開口部分１８は図１３の向きから下方に引っ張られており、これにより屈曲部２３（および／またはバネ４３）内に応力を導入する。水平開口部分１８はラッチ４４によってこの向きに保持され、これ自体は重力によって自由に回転するものである。ラッチ４４は、ピン４６と係合する上方に向くフック４５を含む。袋３０は貯蔵室１２内に導入されている。開口端３２は折り返し部３３によりその外周を縁２４に保持されている。ユーザは排泄の準備ができると、取っ手２６を用いて図６および７（または単一の取っ手２６を用いる実施形態では図９および１０）に示すように本装置の向きを決める。垂直開口部分１６に加えられた力と併せてユーザの体重により、水平開口部分１８を下方に曲げる（図示せず）、これによりピン４６を上向きのフック４５の開口部に向かって動かす。ピン４６が上向きのフック４５の開口部に到達すると、ラッチ４４は図１３に示す向きまで重力により下方に回転する。従って、ユーザが排泄を終え、病床用便器１０を除去しようとする場合、ユーザが自身の下から病床用便器１０を除去するにつれて水平開口部分１８はその低エネルギー状態に向けて上方に移動し、水平開口部分１８が継続的に上方に付勢され（貯蔵室１２の向きに関係なく）、これにより貯蔵室１２内から排泄物がこぼれるのを防ぐ。水平開口部分１８がユーザの体との接触から離れるとすぐに、水平開口部分１８は図１３に示す位置に自動的に閉じ、これにより開口部１４および袋３０を閉じる。
【００４２】
本発明の一または複数の実施形態の詳細を添付の図面および詳細な説明において記載した。本発明の他の特徴、目的および利点は明細書、図面および特許請求の範囲から明らかになろう。
【００４３】
本発明をいくつかの実施形態に関して記載したが、本発明の範囲に入る代替、変更、置換、および均等物がある。本発明の説明を助けるために複数のサブタイトルを付けているが、これらのサブタイトルは単に説明目的のためであり、本発明の範囲を限定するものではない。
【００４４】
本発明の方法および装置を実施する多くの代替的方法があることにも留意すべきである。従って、添付の特許請求の範囲は、本発明の精神および範囲に入る係る全ての代替、変更、置換、および均等物を含むと解釈されるべきである。
【図１】
2014512233.tif 000003
【図２】
2014512233.tif 000004
【図３】
2014512233.tif 000005
【図４】
2014512233.tif 000006
【図５】
2014512233.tif 000007
【図６】
2014512233.tif 000008
【図７】
2014512233.tif 000009
【図８】
2014512233.tif 000010
【図９】
2014512233.tif 000011
【図１０】
2014512233.tif 000012
【図１１】
2014512233.tif 000013
【図１３】
2014512233.tif 000014
【図１４】
2014512233.tif 000015
【図１２】
2014512233.tif 000016
【国際調査報告】
2014512233.tif 000017
2014512233.tif 000018